(57)【特許請求の範囲】
【請求項１】
通信媒体を介してホストコンピュータからの印刷ジョブを受信する受信手段と、
前記印刷ジョブの印刷データを記憶するスプール手段と、
前記スプール手段に記憶された前記印刷データの印刷出力を実行する印刷手段と、
ジョブ管理装置へジョブ管理情報を送信する第一送信手段と、
前記ジョブ管理装置への印刷データを送信する第二送信手段と、を有し、
前記印刷手段により前記印刷データの印刷が終了したとき、前記第一送信手段は前記印刷データのジョブ管理情報を前記ジョブ管理装置へ送信し、および、前記第二送信手段は前記印刷データを前記ジョブ管理装置へ送信する
ことを特徴とする印刷装置。
【請求項２】
前記ジョブ管理情報は、少なくとも、ジョブ名、ユーザ名、印刷ジョブの作成日付、ジョブサイズ情報のいずれかを含むことを特徴とする請求項１記載の印刷装置。
【請求項３】
前記第一送信手段は、更に印刷用のパラメータを含むモード設定用パラメータを送信することを特徴とする請求項１記載の印刷装置。
【請求項４】
通信媒体を介して複数の印刷装置と接続されるジョブ管理装置であって、
前記複数の印刷装置の少なくとも１つからジョブ管理情報を受信する第一受信手段と、
前記前記複数の印刷装置の少なくとも１つから印刷データを受信する第二受信手段と、
前記第一受信手段が受信した印刷装置のジョブ管理情報を表示するジョブ管理情報表示手段と、を有し、
前記第一受信手段と前記第二受信手段は、前記複数の印刷装置の少なくとも1つから印刷出力済みの印刷ジョブのジョブ管理情報および印刷データを受信することを特徴とするジョブ管理装置。
【請求項５】
前記ジョブ管理情報は、少なくとも、ジョブ名、ユーザ名、印刷ジョブの作成日付、ジョブサイズ情報のいずれかを含むことを特徴とする請求項４記載のジョブ管理装置。
【請求項６】
前記第二受信手段は、更に印刷用のパラメータを含むモード設定用パラメータを受信することを特徴とする請求項４記載のジョブ管理装置。
【請求項７】
通信媒体を介してホストコンピュータおよびジョブ管理装置と通信する印刷装置における画像情報管理方法において、
前記通信媒体を介して前記ホストコンピュータから印刷ジョブを受信する受信ステップと、
受信した前記印刷ジョブの印刷データを記憶するスプールステップと、
該ステップにおいて記憶された前記印刷データの印刷出力を実行する印刷ステップと、
該ステップにおける前記印刷データの印刷が終了したとき、前記印刷データのジョブ管理情報および該印刷データを前記ジョブ管理装置へ送信する送信ステップと
を有することを特徴とする画像情報管理方法。
【請求項８】
前記送信ステップにおいて送信する前記ジョブ管理情報に、少なくとも、ジョブ名、ユーザ名、印刷ジョブの作成日付、ジョブサイズ情報のいずれかを含めることを特徴とする請求項７記載の画像情報管理方法。
【請求項９】
前記送信ステップにおいて、更に、印刷用のパラメータを含むモード設定用パラメータを送信することを特徴とする請求項７記載の画像情報管理方法。
【請求項１０】
通信媒体を介して複数の印刷装置と接続されるジョブ管理装置におけるジョブ管理方法であって、
前記複数の印刷装置の少なくとも１つから印刷出力済みの印刷ジョブのジョブ管理情報および印刷データを受信する受信ステップと、
該ステップにおいて受信した前記ジョブ管理情報を表示するジョブ管理情報表示ステップと、を有することを特徴とするジョブ管理方法。
【請求項１１】
前記受信ステップにおいて受信する前記ジョブ管理情報が、少なくとも、ジョブ名、ユーザ名、印刷ジョブの作成日付、ジョブサイズ情報のいずれかを含むことを特徴とする請求項１０記載のジョブ管理方法。
【請求項１２】
前記送信ステップにおいて、更に、印刷用のパラメータを含むモード設定用パラメータを送信することを特徴とする請求項１０記載のジョブ管理方法。
【請求項１３】
通信媒体を介してホストコンピュータおよびジョブ管理装置と通信する印刷装置の画像情報管理方法のプログラムを、該印刷装置が備えるコンピュータにより読み取り可能に記憶した記憶媒体であって、
該プログラムが該コンピュータに、
前記通信媒体を介して前記ホストコンピュータから印刷ジョブを受信する受信ステップと、
受信した前記印刷ジョブの印刷データを記憶するスプールステップと、
該ステップにおいて記憶された前記印刷データの印刷出力を実行する印刷ステップと、
該ステップにおける前記印刷データの印刷が終了したとき、前記印刷データのジョブ管理情報および該印刷データを前記ジョブ管理装置へ送信する送信ステップと
を実行させることを特徴とする記憶媒体。
【請求項１４】
通信媒体を介して複数の印刷装置と接続されるジョブ管理装置におけるジョブ管理方法のプログラムを、該ジョブ管理装置が備えるコンピュータにより読み取り可能に記憶した記憶媒体であって、
該プログラムが該コンピュータに、
前記複数の印刷装置の少なくとも１つから印刷出力済みの印刷ジョブのジョブ管理情報および印刷データを受信する受信ステップと、
該ステップにおいて受信したジョブ管理情報を表示するジョブ管理情報表示ステップと、を実行させることを特徴とする記憶媒体。
【発明の詳細な説明】
【０００１】
【発明の属する技術分野】
本発明は印刷装置、ジョブ管理装置、印刷装置における画像情報管理方法、ジョブ管理装置におけるジョブ管理方法、および記憶媒体に関する。特に詳細には、ネットワーク上に接続されるホストコンピュータから受け取ったプリントジョブを処理し、記録媒体にプリント出力するスプール機能を備えた印刷装置をネットワーク上に複数接続されてなるプリントシステムにおける印刷装置、ジョブ管理装置、印刷装置における画像情報管理方法、ジョブ管理装置におけるジョブ管理方法、および、これらの方法のプログラムを記憶した記憶媒体に関する。
【０００２】
【従来の技術】
現在では、ネットワーク上に接続されているプリンタがスプール機能を有しており、ホスト・コンピュータから送られてきたプリント・ジョブおよびプリント済みデータを一旦ハード・ディスクに保存し、プリント・ジョブのジョブ管理情報を表示することが可能である。また、単にジョブ管理情報を表示するだけではなく、スプールされているプリント・ジョブを再プリントしたり、プリントする際にジョブの設定変更が可能なスプール機能を有するものもある。
【０００３】
また、ネットワーク上に接続されている複数のプリンタをグループ化し、指定したプリンタが処理できない場合はグループ内の別のプリンタに自動的にジョブを振り分けるといったようなプリントシステムも提供されている。
【０００４】
【発明が解決しようとする課題】
従来のシステムにおいては、プリンタが自身のＨＤに保存しているスプールジョブのジョブ管理方法を表示するジョブ管理機能を備えているが、上述のような別のプリンタにジョブを振り分ける機能を有するプリントシステムにおいては、プナント出力したユーザーが実際にはどのプリンタから出力されたのか、また、再度同じジョブをプリントする際に、どのプリンタのスプーラーに保存されているのかを確認するためには各プリンタのスプールデータを別々に調べる必要があった。
【０００５】
そこで、本発明は上記の問題を解決するためになされたものであって、ネットワーク上に接続されている複数のプリンタのスプーラーを集中管理することによって、ユーザーがプリント・ジョブの管理を容易にするようなスプールサーバーを含む画像処理システムにおける印刷装置、ジョブ管理装置、印刷装置における画像情報管理方法、ジョブ管理装置におけるジョブ管理方法、および、これらの方法のプログラムを記憶した記憶媒体を提供することを目的とする。
【０００６】
【課題を解決するための手段】
上記の課題を解決するために本発明の一態様は、通信媒体を介してホストコンピュータからの印刷ジョブを受信する受信手段と、前記印刷ジョブの印刷データを記憶するスプール手段と、前記スプール手段に記憶された前記印刷データの印刷出力を実行する印刷手段と、ジョブ管理装置へジョブ管理情報を送信する第一送信手段と、前記ジョブ管理装置への印刷データを送信する第二送信手段と、を有し、前記印刷手段により前記印刷データの印刷が終了したとき、前記第一送信手段は前記印刷データのジョブ管理情報を前記ジョブ管理装置へ送信し、および、前記第二送信手段は前記印刷データを前記ジョブ管理装置へ送信することを特徴とする。
【０００７】
上記の態様において、前記ジョブ管理情報は、少なくとも、ジョブ名、ユーザ名、印刷ジョブの作成日付、ジョブサイズ情報のいずれかを含むことができる。
【０００８】
上記の態様において、前記第一送信手段は、更に印刷用のパラメータを含むモード設定用パラメータを送信することができる。
【０００９】
上記の課題を解決するために本発明の他の態様は、通信媒体を介して複数の印刷装置と接続されるジョブ管理装置であって、前記複数の印刷装置の少なくとも１つからジョブ管理情報を受信する第一受信手段と、前記前記複数の印刷装置の少なくとも１つから印刷データを受信する第二受信手段と、前記第一受信手段が受信した印刷装置のジョブ管理情報を表示するジョブ管理情報表示手段と、を有し、前記第一受信手段と前記第二受信手段は、前記複数の印刷装置の少なくとも1つから印刷出力済みの印刷ジョブのジョブ管理情報および印刷データを受信することを特徴とする。
【００１０】
上記の態様において、前記ジョブ管理情報は、少なくとも、ジョブ名、ユーザ名、印刷ジョブの作成日付、ジョブサイズ情報のいずれかを含むことができる。
【００１１】
上記の態様において、前記第二受信手段は、更に印刷用のパラメータを含むモード設定用パラメータを受信することができる。
【００１２】
上記の課題を解決するために本発明の他の態様は、通信媒体を介してホストコンピュータおよびジョブ管理装置と通信する印刷装置における画像情報管理方法において、前記通信媒体を介して前記ホストコンピュータから印刷ジョブを受信する受信ステップと、
受信した前記印刷ジョブの印刷データを記憶するスプールステップと、該ステップにおいて記憶された前記印刷データの印刷出力を実行する印刷ステップと、該ステップにおける前記印刷データの印刷が終了したとき、前記印刷データのジョブ管理情報および該印刷データを前記ジョブ管理装置へ送信する送信ステップとを有することを特徴とする。
【００１３】
上記の態様において、前記送信ステップにおいて送信する前記ジョブ管理情報に、少なくとも、ジョブ名、ユーザ名、印刷ジョブの作成日付、ジョブサイズ情報のいずれかを含めることができる。
【００１４】
上記の態様において、前記送信ステップにおいて、更に、印刷用のパラメータを含むモード設定用パラメータを送信することができる。
【００１５】
上記の課題を解決するために本発明の他の態様は、通信媒体を介して複数の印刷装置と接続されるジョブ管理装置におけるジョブ管理方法であって、前記複数の印刷装置の少なくとも１つから印刷出力済みの印刷ジョブのジョブ管理情報および印刷データを受信する受信ステップと、該ステップにおいて受信した前記ジョブ管理情報を表示するジョブ管理情報表示ステップと、を有することを特徴とする。
【００１６】
上記の態様において、前記受信ステップにおいて受信する前記ジョブ管理情報が、少なくとも、ジョブ名、ユーザ名、印刷ジョブの作成日付、ジョブサイズ情報のいずれかを含むことができる。
【００１７】
上記の態様において、前記送信ステップにおいて、更に、印刷用のパラメータを含むモード設定用パラメータを送信することができる。
【００１８】
上記の課題を解決するために本発明の他の態様は、通信媒体を介してホストコンピュータおよびジョブ管理装置と通信する印刷装置の画像情報管理方法のプログラムを、該印刷装置が備えるコンピュータにより読み取り可能に記憶した記憶媒体であって、該プログラムが該コンピュータに、前記通信媒体を介して前記ホストコンピュータから印刷ジョブを受信する受信ステップと、受信した前記印刷ジョブの印刷データを記憶するスプールステップと、該ステップにおいて記憶された前記印刷データの印刷出力を実行する印刷ステップと、該ステップにおける前記印刷データの印刷が終了したとき、前記印刷データのジョブ管理情報および該印刷データを前記ジョブ管理装置へ送信する送信ステップとを実行させることを特徴とする。
【００１９】
上記の課題を解決するために本発明の他の態様は、通信媒体を介して複数の印刷装置と接続されるジョブ管理装置におけるジョブ管理方法のプログラムを、該ジョブ管理装置が備えるコンピュータにより読み取り可能に記憶した記憶媒体であって、該プログラムが該コンピュータに、前記複数の印刷装置の少なくとも１つから印刷出力済みの印刷ジョブのジョブ管理情報および印刷データを受信する受信ステップと、該ステップにおいて受信したジョブ管理情報を表示するジョブ管理情報表示ステップと、を実行させることを特徴とする。
【００３０】
【発明の実施の形態】
以下、図面を参照して本発明の実施の形態を詳細に説明する。
【００３１】
（第１の実施の形態）
図１は本発明の実施の形態の画像処理システムの構成を示すブロック図である。
【００３２】
ホスト・コンピュータ１０，プリンタ３１，プリンタ３２，ジョブ管理装置４０がネットワーク上で接続されている。ホスト・コンピュータ１０上で作成されたジョブ１のプリント・データ（＊１）がプリンタ３１に送信され、プリンタ３１は受信したプリント・データを内蔵のハード・ディスクに記憶、保存すると同時に、ジョブ名やジョブの作成日付、ユーザー名、ジョブサイズ等のジョブ１のジョブ管理データ（＊２）をジョブ管理装置４０へ送信する。
【００３３】
同様に、ホスト・コンピュータ１０上で作成されたジョブ２のプリント・データ（＊３）がプリンタ３２に送信され、プリンタ３２は受信したプリント・データを内蔵のハード・ディスクに記憶、保存すると同時に、ジョブ名やジョブの作成日付、ユーザー名、ジョブサイズ等のジョブ２のジョブ管理データ（＊４）をジョブ管理装置４０に送信する。
【００３４】
なお、図１ではネットワーク上に２台のプリンタを有しているが、プリンタの台数は２台に限るものではなく、３台以上でも構わないことは勿論である。
【００３５】
図２は、本発明の好適な実施の形態に係る画像処理装置および画像出力装置による画像処理システムの電気的な構成を概略的に示すブロック図である。
【００３６】
この画像処理システムは、ホスト・コンピュータ１０と、画像処理装置２０と、画像出力装置３０と、ジョブ管理装置４０とをケーブルＣ１，ケーブルＣ２，ケーブルＣ３を介して互いに接続されており、ＲＯＭ２２から読み出した制御プログラムにしたがってＣＰＵ２１が画像処理装置２０の動作を総括的に制御する。
【００３７】
ホスト・コンピュータ１０はプリント・データの供給源として機能するもので、ここでは、例えばＰＤＬデータを供給するものとして説明する。画像処理装置２０はＨＤＤ（ハード・ディスク・ドライブ装置）２４を内蔵しており、ホスト・コンピュータ１０からケーブルＣ１，外部インターフェース２５を介して供給されたプリント・データを、ＨＤＤコントローラ２３を介してＨＤＤ２４によりハード・ディスク媒体に一旦保持する。ＨＤＤ２４により保持されたプリント・データは、ＣＰＵバス２８を介してＲＡＭ２６のＰＤＬバッファ２６２に一時的に保持される。保持されたＰＤＬデータを読み出してＲＡＭ２６のフレームメモリ２６１に展開し、プリントのための画像データを生成する。
【００３８】
同時に、ＨＤＤ２４により保存されているプリント・データのジョブ名やユーザー名、ジョブの作成日付、ジョブサイズ等のジョブ管理情報を外部インターフェース２５およびケーブルＣ３を介してジョブ管理装置４０へ送信する。
【００３９】
フレームメモリ２６１に展開された画像データはケーブルＣ２を介して画像出力装置３０に転送され、この装置３０で記録紙等のシート状記録媒体へのプリントが実行される。
【００４０】
ここで、ケーブルＣ１，Ｃ２，Ｃ３は、パラレルケーブル、ＳＣＳＩケーブル、シリアルケーブル、ネットワークケーブル等の汎用ケーブルであっても、あるいは専用のケーブルであっても構わない。
【００４１】
画像出力装置３０はホスト・コンピュータ１０で生成したプリント・データをプリント出力するプリンタとして機能する他、原稿の画像を読み取って、読み取り画像に応じた画像を記録紙にプリント出力する複写機としても機能する。
【００４２】
また、画像処理装置２０は、ケーブルＣ２を介して画像出力装置３０のステータス情報等を取得し、ホスト・コンピュータ１０に送信することができる他、このステータス情報に基づいて画像出力装置３０を制御するコントローラとしての機能を遂行することができる。
【００４３】
ＣＰＵ２１は、前述の通りＲＯＭ２２に格納された制御プログラムに基づいて動作し、画像処理装置２０の機能を制御する。ＨＤＤ２４はＨＤＤコントローラ２３を介してＣＰＵバス２８に接続されており、プリント済みのＰＤＬデータやＰＤＬデータを展開して生成した画像データを一時的に保持する領域や、フォントデータを格納する領域等を有している。ＲＡＭ２６は、ＰＤＬバッファ２６２とフレームメモリ２６１とを含む。ＰＤＬバッファ２６２は、ホスト・コンピュータ１０より受信したＰＤＬデータを一時的に保持するバッファ領域であり、フレームメモリ２６１は、ＰＤＬデータを展開し、この展開した画像データを一時的に保持するための領域である。
【００４４】
ところで、ＲＯＭ２２は例えばプログラマブルメモリ（例えば、ＥＥＰＲＯＭ）により構成してホスト・コンピュータ１０等から本発明に係る制御プログラムをインストールして実行することもできる。また、例えばフロッピー・ディスク、ＭＯ，ＰＯ，ＣＤ−ＲＯＭ，ＣＤ−Ｒ等の装置に着脱自在なディスク記憶媒体、磁気記録テープおよびこれら記憶媒体のコントローラ（ドライバ）等により本発明に係る制御プログラムを実行するように構成することも有効である。
【００４５】
なお、画像処理装置２０は、ホスト・コンピュータ１０から供給されるＰＤＬデータに応じて、フルカラーまたはグレイスケール用の画像データを生成する。画像処理装置２０から画像出力装置３０への画像データの送信は、ケーブルＣ２を介して行われる。
【００４６】
画像形成部３２０は、例えば４００ｄｐｉの解像度のカラーまたはグレイスケール画像を出力する機能を有する。画像出力装置３０は、画像処理装置２０から供給された画像データに基づいて画像処理部３１０でＹＭＣＫデータ（グレイスケールの場合にはＫデータ）を生成し、これを画像形成部３２０に供給して記録紙上に画像をプリント出力する。また、ＣＣＤイメージ・センサ等を有する画像読み取り部３００で原稿を読み取って得られた画像データを画像形成部３２０に供給することで、記録紙上に画像をプリント出力する。
【００４７】
なお、制御部３４０により、画像処理装置２０からの命令、または操作部３３０からの命令に基づいて画像出力装置３０の動作を制御する。
【００４８】
図３は、画像出力装置３０の一例を具体的に示す構成図である。図３はフルカラーの画像を出力可能な電子写真方式の画像形成装置の構成例を示し、この装置は複写機としての機能とプリンタとしての機能とを有する。
【００４９】
ドキュメントフィーダ（ＤＦ）３９は、所定位置に積載された複数の原稿を１枚ずつ原稿読み取り位置に順次搬送して自動的に給紙を行なう装置である。ドキュメントフィーダ５１または手動により給紙され、原稿読み取り位置に載置された原稿の画像は、例えばカラーＣＣＤや光学系等を含む画像読み取り部３００により読み取られて、これにより原稿画像に対応したＲＧＢデータが生成され、画像処理部３１０へ送られる。
【００５０】
画像処理部３１０は、画像処理装置から送られてきた画像データと画像読み取り部３００から送られてきた画像データのいずれかを制御部３４０による制御に基づいて選択し、選択したデータを画像形成部３２０および画像処理装置２０へ送信する。すなわち、制御部３５０は、この画像出力装置３０をプリンタとして使用する場合には画像処理装置２０から供給される画像データを選択し、複写機として使用する場合には画像読み取り部３００から供給される画像データを選択する。
【００５１】
画像処理部３１０は、入力されたＲＧＢデータをＹＭＣＫデータに変換して、Ｙ，Ｍ，Ｃ，Ｋの画像データを画像形成部３２０のレーザ駆動部３１に供給する。
【００５２】
レーザ駆動部３１は、供給されるＹ，Ｍ，Ｃ，Ｋの画像データでレーザ光にを変調して、この変調レーザ光により感光ドラム３２上を走査させて静電潜像を形成する。画像をプリント出力するための記録紙は、上段カセット３４Ｕまたは下段カセット３４Ｌから選択して給紙され、転写ドラム３３に巻回される。
【００５３】
感光ドラム３２上の静電潜像は現像器（不図示）により現像され、これにより可視像（トナー像）が形成される。この可視像は、転写ドラム３３に吸着された記録紙に転写される。この静電潜像の形成、現像、転写を含む周知の電子写真プロセスは、Ｙ，Ｍ，Ｃ，Ｋの各色について実行され、記録紙上にカラー画像が合成される。トナー像を転写された記録紙は定着器３６に搬送され、ここで最終的に記録紙にトナー像が定着される。
【００５４】
その後、記録紙は、片面に画像を形成する片面モードにおいては、排紙トレイ３８に排出される。一方、両面に画像を形成する両面モードにおいては、片面（表面）にトナー像の転写を終了した記録紙は搬送経路３７を通って両面トレー３５に一時的に収納されて裏返され、裏面にトナー像を転写される状態で再び転写ドラム３３に搬送される。そして、裏面に対してトナー像を転写すると、定着器３６によりトナー像を定着して両面にプリントされ、排紙トレイ３８に排出される。
【００５５】
図４はジョブ管理装置４０の具体的な構成例を示すブロック図である。
【００５６】
ジョブ管理装置４０はＨＤＤ４４を内蔵し、画像処理装置２０から送られてきた、ジョブ名やユーザー名、ジョブの作成日付、ジョブサイズ等のジョブ管理データは外部インターフェース４５を介して供給され、ＨＤＤコントローラ４３を介してＨＤＤ４４によりハード・ディスク媒体に保持される。
【００５７】
ＣＰＵ４１は、ＲＯＭ４２に格納された制御プログラムに基づいて動作し、ジョブ管理装置４０の機能を制御する。ＨＤＤ４４はＨＤＤコントローラ４３を介してＣＰＵバス４７に接続され、ジョブ管理データを保持する領域やフォントデータを格納する領域等を有している。ＲＡＭ４６は、ＨＤＤ４４により保持されているジョブ管理データを、ディスプレイ・コントローラ４８の制御によりディスプレイ装置４９に表示するための作業領域としても使用される。
【００５８】
ジョブ管理装置４０は、ネットワーク上に接続されている複数のプリンタ（プリンタ３１，３２等）からジョブ管理データを受け取り、それらのジョブ管理データを以下に説明する通り一括してディスプレイ装置４９に表示する。なお、以下の説明において、ネットワーク上の複数のプリンタを「プリンタ１」〜「プリンタ５」と記すが、接続される台数はこの数字によって限定されるものではない。
【００５９】
図５は、ディスプレイ装置４９にジョブ管理データを表示する際の、表示方法を選択するための表示方法選択画面の一例を示す説明図である。
【００６０】
図５に示してあるように、表示方法選択画面５０には、「全て表示」ボタン５１，「プリンタ別」ボタン５２，「ユーザー別」ボタン５３，「Ｑｕｅｕｅ別」ボタン５４が表示され、ジョブ管理データを表示する際にユーザーの選択によりこれらのボタンをマウス等のポインティングデバイスでポイントしてクリックする等して、ジョブ管理データの表示方法を任意に選択することができる。
【００６１】
すなわち、「全て表示」ボタン５１は複数のプリンタから受け取ったジョブ管理情報を全て表示するためのボタンであり、「プリンタ別」ボタン５２は個々のプリンタ別にジョブ管理情報を表示するためのボタンであり、「ユーザー別」ボタン５３はユーザー毎のジョブ管理情報を表示するためのボタンである。また、「Ｑｕｅｕｅ別」ボタン５４は、「 Ｐｒｉｎｔ  Ｑｕｅｕｅ」 （プリントキュー），「 Ｈｏｌｄ  Ｑｕｅｕｅ」 （ホールドキュー），「 Ｐｒｉｎｔｅｄ  Ｑｕｅｕｅ」 （印刷済みキュー）等の各キュー別に表示するためのボタンである。
【００６２】
ここで、「 Ｐｒｉｎｔ  Ｑｕｅｕｅ」 はネットワーク上のホスト・コンピュータ１０から受け取ったプリント・データを一旦登録するスプール領域であり、ここに保持されているプリント・データが順次展開され、プリントされる。「 Ｈｏｌｄ  Ｑｕｅｕｅ」 はホスト・コンピュータ１０から受け取ったプリント・データを保持する領域であり、「 Ｈｏｌｄ  Ｑｕｅｕｅ」 に登録されたデータは、ユーザーが任意にプリント実行の指示を行うまではプリントされない。また、「 Ｐｒｉｎｔｅｄ  Ｑｕｅｕｅ」 はプリントが実行された印刷済みジョブデータを登録しておく領域である。
【００６３】
図６は、図５で「全て表示」ボタン５１が選択された場合に表示されるジョブ管理情報表示画面の一例の説明図である。
【００６４】
図６に示されているように、ジョブ管理情報表示画面６０には、ネットワーク上に接続されている各プリンタから受け取ったジョブ管理情報の一覧が各キュー（「 Ｐｒｉｎｔ  Ｑｕｅｕｅ」 ，「 Ｈｏｌｄ  Ｑｕｅｕｅ」 ，「 Ｐｒｉｎｔｅｄ
Ｑｕｅｕｅ」 ）別に表示される。
【００６５】
このジョブ管理情報は、ジョブ名６１，各ジョブのユーザー名６２，各ジョブのプリント日時６３，各ジョブのプリントに用いられたプリンタ名６４，各ジョブのサイズ６５等を含んでいる。
【００６６】
なお、ここではプリンタ名６４として例えば「プリンタ１」〜「プリンタ５」まであり、ネットワーク上に５台のプリンタを備えているものとする。また、ユーザー名６２として例えば「ユーザー１」〜「ユーザー５」まであり、ネットワーク上で５台のユーザー端末からこれらプリンタを利用できるものとする。
【００６７】
このジョブ管理情報はネットワーク上の全てのプリンタについての情報を含んでおり、別々のユーザーが別々のプリンタを利用していることを示している。また、各キューについての表示はスクロールできるようになっており、プリンタ１についての情報は図示の限りではなく、図に表れない情報も各キューに登録されている。
【００６８】
図７は、図５で「プリンタ別」ボタン５２が選択された場合に表示されるプリンタ・リスト画面の一例の説明図である。
【００６９】
プリンタ・リスト画面７０にはネットワーク上に接続されているプリンタの一覧がボタンで表示される。選択ボタン７１〜７５をクリックする等して任意のプリンタを選択することが可能であり、選択されたプリンタのジョブ管理情報の一覧のみを以下の通り表示することができる。
【００７０】
図８は、図７で「プリンタ１」が選択された場合に表示されるジョブ管理情報表示画面の一例の説明図である。
【００７１】
図８に示されているように、ジョブ管理情報表示画面８０は、選択したプリンタから受け取ったジョブ管理情報の一覧を各キュー（「 Ｐｒｉｎｔ  Ｑｕｅｕｅ」 ，「 Ｈｏｌｄ  Ｑｕｅｕｅ」 ，「 Ｐｒｉｎｔｅｄ  Ｑｕｅｕｅ」 ）別に表示する。
【００７２】
すなわち、画面最上部のプリンタ名表示部８６には選択されたプリンタ名が表示され、その下には選択された例えばプリンタ１のジョブ管理情報の一覧が、ジョブ名８１，各ジョブのユーザー名８２，各ジョブのプリント日時８３，各ジョブのプリントに用いられたプリンタ名８４，各ジョブのサイズ８５等を含んで表示されている。プリンタ名８４の欄を参照すると明らかな通り、この一覧はプリンタ１のみについての情報を示しており、表示をスクロールしても同様である。
【００７３】
図９は、図５で「ユーザー別」ボタン５３が選択された場合に表示されるユーザー・リスト画面の一例の説明図である。
【００７４】
ユーザー・リスト画面９０にはネットワーク上に接続されているユーザーの一覧がボタンで表示される。ここで選択ボタン９１〜９５をクリックする等して、任意のユーザーを選択することが可能であり、選択されたユーザーのジョブ管理情報の一覧のみを以下の通り表示することができる。
【００７５】
図１０は、図９で「ユーザー１」が選択された場合に表示されるジョブ管理情報表示画面の一例の説明図である。
【００７６】
図１０に示されているように、ジョブ管理情報表示画面１００は、選択したユーザーから受け取ったジョブ管理情報の一覧を各キュー（「 Ｐｒｉｎｔ  Ｑｕｅｕｅ」 ，「 Ｈｏｌｄ  Ｑｕｅｕｅ」 ，「 Ｐｒｉｎｔｅｄ  Ｑｕｅｕｅ」 ）別に表示する。
【００７７】
すなわち、画面最上部のユーザー名表示部１０６には選択されたユーザー名が表示され、その下には選択された例えばユーザー１のジョブ管理情報の一覧が、ジョブ名１０１，各ジョブのユーザー名１０２，各ジョブのプリント日時１０３，各ジョブのプリントに用いられたプリンタ名１０４，各ジョブのサイズ１０５等を含んで表示されている。ユーザー名１０２の欄を参照すると明らかな通り、この一覧はユーザー１のみについての情報を示しており、表示をスクロールしても同様である。
【００７８】
図１１は、図５で「Ｑｕｅｕｅ別」ボタン５４が選択された場合に表示されるキュー・リスト画面の一例の説明図である。
【００７９】
キュー・リスト画面１１０にはネットワーク上のキューの一覧（「 ＰｒｉｎｔＱｕｅｕｅ」 ，「 Ｈｏｌｄ  Ｑｕｅｕｅ」 ，「 Ｐｒｉｎｔｅｄ  Ｑｕｅｕｅ」 がボタンで表示される。選択ボタン１１１〜１１３をクリックする等して各キューのうち任意のキューを選択することが可能であり、選択されたキューに登録してあるジョブ管理情報の一覧のみを以下の通り表示することができる。
【００８０】
図１２は、図１１で「Ｐｒｉｎｔｅｄ  Ｑｕｅｕｅ」が選択された場合に表示されるジョブ管理情報表示画面の一例の説明図である。
【００８１】
図１２に示されているように、ジョブ管理情報表示画面１２０は、選択したキューについてのみジョブ管理情報の一覧を表示する。
【００８２】
すなわち、画面最上部のキュー名表示部１２６には選択されたキュー名が表示され、その下には選択された例えば「 Ｐｒｉｎｔｅｄ  Ｑｕｅｕｅ」 のジョブ管理情報の一覧が、ジョブ名１２１，各ジョブのユーザー名１２２，各ジョブのプリント日時１２３，各ジョブのプリントに用いられたプリンタ名１２４，各ジョブのサイズ１２５等を含んで表示されている。ジョブ管理情報表示画面１２０を参照すると明らかな通り、この一覧は「 Ｐｒｉｎｔｅｄ  Ｑｕｅｕｅ」 のみについての情報を示しており、表示をスクロールしても同様である。
【００８３】
なお、図６，図８，図１０，図１２に図示した画面はジョブ管理情報の表示方法の一例にすぎず、これらの例のようにキュー別にソートして表示しなくともよく、各項目（ユーザー名、日時、プリンタ名、サイズ等）についてソートして表示することも可能である。
【００８４】
次に、図１３はネットワーク上の任意のプリンタからジョブ管理装置４０へジョブ管理情報を送る場合の処理の流れを表すフロー・チャートである。図１３および次の図１４の説明において、ステップ番号をＳで記す。
【００８５】
まず、Ｓ１３０でホスト・コンピュータ１０からコマンドにしたがってプリントが実行されると、Ｓ１３１ではホスト・コンピュータ１０からプリンタの「 Ｐｒｉｎｔｅｄ  Ｑｕｅｕｅ」 にプリント・データが送信される。続いてＳ１３２において、プリント・データのスプールが完了したかどうかを判断し、完了していなければこのステップを繰り返し行ない、スプールが完了していればＳ１３３に進んでジョブ管理装置４０へジョブ管理情報を送信する。
【００８６】
プリント・データのスプールが完了したプリンタは、Ｓ１３４において所定の処理を施してプリント・データを出力し、これを展開して記録紙にへのプリント出力を行なうする。次にＳ１３５では、全てのページの出力が完了したかどうかを判断し、完了していなければこのステップを繰り返し行ない、プリントが完了していればＳ１３６に進んでジョブを「 Ｐｒｉｎｔｅｄ  Ｑｕｅｕｅ」 へ移動する。ジョブを「 Ｐｒｉｎｔｅｄ  Ｑｕｅｕｅ」 に移動すると、続くＳ１３７でジョブ管理情報をジョブ管理装置４０へ送信する。
【００８７】
図１４はジョブ管理情報を表示する際の処理の流れを表すフロー・チャートである。
【００８８】
まず最初に、Ｓ１４０において図５の表示方法選択画面５０を表示する。この状態で選択されたボタンに応じて、Ｓ１４１〜Ｓ１４４のいずれかに分岐する。
【００８９】
すなわち、「全て表示」ボタン５１が選択された場合はＳ１４１以下に進み、Ｓ１４８で全てのジョブ管理情報を前述の如く表示する（図６参照）。また、「プリンタ別」ボタン５２が選択された場合はＳ１４２に進み，Ｓ１４５でプリンタ・リストを前述の如く表示して選択させ（図７参照）、Ｓ１４９では選択指定されたプリンタのジョブ管理情報を前述の如く一括して表示する（図８参照）。
【００９０】
また、「ユーザー別」ボタン５３が選択された場合はＳ１４３以下に進み、Ｓ１４６でユーザー・リストを前述の如く表示して選択させ（図９参照）、Ｓ１５０では選択指定されたユーザーのジョブ管理情報を前述の如く一括して表示する（図１０参照）。さらに、「Ｑｕｅｕｅ別」ボタン５４が選択された場合はＳ１４４以下に進み、Ｓ１４７でキュー・リストを前述の如く表示して選択させ（図１１参照）、Ｓ１５１では選択指定されたキューのジョブ管理情報を前述の如く一括して表示する（図１２参照）。
【００９１】
以上述べてきたように本実施の形態によれば、ネットワーク上に接続されている複数のプリンタにスプールされているジョブ管理情報を全てジョブ管理装置４０に送り、ジョブ管理装置４０で一括管理することにより、ネットワーク上のプリンタジョブの管理を容易にすることができ、さらに、これらの情報をユーザーの選択に応じて表示することにより、ユーザーが見たいジョブ管理情報を任意に確認することができるようになる。
【００９２】
（第２の実施の形態）
上述した第１の実施の形態では、ネットワーク上に接続されている各プリンタにプリント・ジョブがスプールされた場合に、これら複数のプリンタのジョブ管理情報のみをジョブ管理装置４０に送信し、この装置４０でジョブ管理情報の表示のみを行っていた。
【００９３】
これに対して本実施の形態では、ジョブ管理情報のみではなく再プリント時に変更可能なパラメータ・リストもジョブ管理装置４０に送信するようにし、ジョブ管理装置４０では、受信したジョブ管理情報とともにそれに対応したパラメータ・リストもＨＤＤ４４により保存する。これにより、表示したジョブ管理情報のジョブに対して再度プリントを実行する場合に、パラメータ・リストを参照してパラメータの設定を変更することもできる。
【００９４】
なお、本実施の形態の基本構成は第１の実施の形態の場合と同様であり、以下の説明において言及していない技術に関しては第１の実施の形態に従えばよい。
【００９５】
図１５は、ジョブ管理情報表示画面に表示されている任意のジョブを選択し、再プリントを実行する場合に表示される出力先プリンタ選択画面の一例を示す説明図である。
【００９６】
あるジョブの再プリントを実行する場合には、まず最初に、図１５に示してあるように出力先のプリンタを指定するためのプリンタ選択画面１５０が表示される。このプリンタ選択画面１５０により、出力先プリンタのリストがボタンで表示され、選択ボタン１５１〜１５５をクリックする等して任意のプリンタを出力先として選択することができる。
【００９７】
図１６は選択したプリンタのジョブの再プリントを実行する場合のモード設定画面の一例の説明図であり、一例として図１５の画面でプリンタ１が出力先のプリンタとして選択された場合のモード設定画面を示す。
【００９８】
図１６のモード設定画面１６０は、プリンタ１から受信したモード設定用のパラメータ・リストを表示する。パラメータはカラー／グレーモード、両面／片面印刷、その他プリンタ１に備わっている図示のモード設定を含み、チェックボックスをマウス等でクリックしたり、印刷範囲や部数を入力することにより設定を任意に変更することができる。そして、画面下部に表示されているプリントボタン１６１をクリックする等して、設定したモードで選択した出力先のプリンタ１からプリント出力される。また、画面下部に表示されているキャンセルボタン１６２をクリックする等して、再プリントの実行をキャンセルすることができる。
【００９９】
以上のように、ネットワーク上で接続されている複数のプリンタのジョブ管理情報を受け取り、全てのプリンタのジョブ管理情報を一括して表示するジョブ管理装置の実施の形態について説明してきたが、上記各実施の形態はあくまでも本発明実施の形態の一例にすぎず、各種変形例を実施することができる。
【０１００】
例えば、各プリンタのＨＤＤにスプール領域を充分に確保できない場合は、ジョブ管理情報データおよびモード設定用パラメータだけではなく、プリント・データもジョブ管理装置に送信し、ジョブ管理装置のＨＤＤによりプリント・データを保存するようにしても構わない。また、モード設定パラメータをプリント・データと一緒に受信するのではなく、ジョブ管理装置がネットワークを介して定期的に各プリンタと通信することによって別々に獲得し、ジョブ管理装置のＨＤＤによりパラメータを保存しておいても構わない。
【０１０１】
上記した本発明の目的は、前述した実施の形態の機能を実現するソフトウェアのプログラムコードを記録した記憶媒体を、システムあるいは装置に供給し、そのシステムあるいは装置のコンピュータ（またはＣＰＵやＭＰＵ等の処理装置）が記憶媒体に格納されたプログラムコードを読み出して実行することによっても、達成されることはいうまでもない。
【０１０２】
この場合、記憶媒体から読み出されたプログラムコード自体が本発明の新規な機能を実現することになり、そのプログラムコードを記憶した記憶媒体が本発明を構成することになる。
【０１０３】
プログラムコードをコンピュータ等に供給するための記憶媒体としては、例えば、フロッピー・ディスク、ハード・ディスク、光ディスク、光磁気ディスク、ＣＤ−ＲＯＭ、ＣＤ−Ｒ、磁気テープ、不揮発性のメモリ・カード、ＲＯＭなどを用いることができる。
【０１０４】
また、コンピュータが読み出したプログラムコードを実行することにより、前述した実施の形態の機能が実現されるだけでなく、そのプログラムコードの指示に基づき、コンピュータ上で稼動しているＯＳ（オペレーティング・システム）などが、実際の処理の一部または全部を行い、その処理によって前述した実施の形態の機能が実現される場合も含まれることは言うまでもない。
【０１０５】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施の形態の機能が実現される場合も含まれることは言うまでもない。
【０１０６】
また、ジョブ管理情報データは、ジョブ管理装置に内蔵されているＨＤＤ、外部接続されている記憶媒体、ジョブ管理装置からアクセス可能なサーバ等に保持されていても構わない。さらに、ジョブ管理情報データはユーザーが任意に設定したものを使用することが可能であっても構わない。
【０１０７】
【発明の効果】
本発明の印刷装置、ジョブ管理装置、印刷装置における画像情報管理方法、ジョブ管理装置におけるジョブ管理方法、および、これらの方法のプログラムを記憶した記憶媒体によれば、ネットワーク上で通信媒体に接続される印刷装置である複数のプリンタにスプールされているジョブ管理情報を通信媒体を介して画像情報管理装置に送るようにしたことにより、各プリンタにスプールされているジョブの内容をジョブ管理装置である画像情報管理装置で一括して管理することが可能となる。また、画像情報管理装置でジョブをまとめて管理することにより、ジョブの管理が容易になるだけでなく、ユーザーの見たいジョブ管理情報を任意に表示装置等に出力して見ることができるという効果がある。
【図面の簡単な説明】
【図１】本発明の実施の形態の画像処理システムの構成を示すブロック図である。
【図２】本発明の好適な実施の形態に係る画像処理装置および画像出力装置による画像処理システムの電気的な構成を概略的に示すブロック図である。
【図３】本発明の好適な実施の形態に係る画像出力装置の一例を具体的に示す構成図である。
【図４】第１の実施の形態におけるジョブ管理装置の構成を示すブロック図である。
【図５】第１の実施の形態におけるジョブ管理装置の表示方法選択画面の説明図である。
【図６】第１の実施の形態においてジョブ管理情報を全て表示した場合のジョブ管理情報表示画面の一例の説明図である。
【図７】第１の実施の形態においてジョブ管理装置のプリンタ別表示を選択した場合に表示されるプリンタ・リスト画面の一例の説明図である。
【図８】第１の実施の形態においてジョブ管理情報を選択したプリンタ別に表示した場合のジョブ管理情報表示画面の一例の説明図である。
【図９】第１の実施の形態においてジョブ管理装置のユーザー別表示を選択した場合に表示されるユーザー・リスト画面の一例の説明図である。
【図１０】第１の実施の形態においてジョブ管理情報を選択したユーザー別に表示した場合のジョブ管理情報表示画面の一例の説明図である。
【図１１】第１の実施の形態においてジョブ管理装置のキュー別表示を選択した場合に表示されるキュー・リスト画面の一例の説明図である。
【図１２】第１の実施の形態においてジョブ管理情報を選択したキュー別に表示した場合のジョブ管理情報表示画面の一例の説明図である。
【図１３】第１の実施の形態において各プリンタからジョブ管理装置へジョブ管理情報を送信する処理の流れを表すフロー・チャートである。
【図１４】第１の実施の形態においてジョブ管理情報の表示方法を任意に選択して表示する場合の処理の流れを表すフロー・チャートである。
【図１５】第２の実施の形態において任意のジョブの再プリントを実行する場合のプリンタ選択画面の一例の説明図である。
【図１６】第２の実施の形態において選択したプリンタのジョブの再プリントを実行する場合のモード設定画面の一例の説明図である。
【符号の説明】
１０  ホスト・コンピュータ
２０  画像処理装置
２１，４１  ＣＰＵ
２２，４２  ＲＯＭ
２３，４３  ＨＤＤコントローラ
２４，４４  ＨＤＤ
２５，４５  外部インターフェース
２６，４６  ＲＡＭ
３０  画像出力装置
３１，３２  プリンタ
４０  ジョブ管理装置
４８  ディスプレイ・コントローラ
４９  ディスプレイ装置
５０  表示方法選択画面
６０，８０，１００，１２０  ジョブ管理情報表示画面
７０  プリンタ・リスト画面
９０  ユーザー・リスト画面
１１０  キュー・リスト画面
１５０  プリンタ選択画面
１６０  モード設定画面
【図１】
0004054437.tif 000002
【図２】
0004054437.tif 000003
【図３】
0004054437.tif 000004
【図４】
0004054437.tif 000005
【図５】
0004054437.tif 000006
【図６】
0004054437.tif 000007
【図７】
0004054437.tif 000008
【図８】
0004054437.tif 000009
【図９】
0004054437.tif 000010
【図１０】
0004054437.tif 000011
【図１１】
0004054437.tif 000012
【図１２】
0004054437.tif 000013
【図１３】
0004054437.tif 000014
【図１４】
0004054437.tif 000015
【図１５】
0004054437.tif 000016
【図１６】
0004054437.tif 000017